(57)【要約】【課題】携帯品の首から下げ且つ上下移動自在且つ好みの位置に係留することができる携帯品の携帯補助具において、移動係留体の下方に位置する下げ紐部位が携帯品の下方に長く垂れ下がることがい携帯品の携帯補助具を提供することを目的としている。【解決手段】移動係留体２３の下方に位置する下げ紐部位２２、２２の下方部位に移動自在に設けられたナス環からなる繋ぎ環部材２６と、この繋ぎ環部材２６に設けられた携帯品Ｋを取付けるための細紐部材（松葉）からなる携帯品繋ぎ手段２７と、下げ紐部位２２，２２の下端部に設けられた該下端部をまとめ且つ繋ぎ環部材２６の抜け止めとなるナス環からなる止め環２８とからなっている。【選択図】図１
2007244839.tif 000002
【特許請求の範囲】
【請求項１】
首に回し掛ける首掛け部位および該首掛け部位から下げられた下げ紐部位とからなる首掛け体と、
前記下げ紐部位に移動自在且つ係留自在に設けられた移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部と、
以上のごとく構成されてなることを特徴とする携帯品の携帯補助具。
【請求項２】
首に掛ける首掛けループ部および該首掛けループ部から下げられた一対の吊り部材からなる下げ紐部位とからなる首掛け体と、
前記下げ紐部位に移動自在且つ係留自在に設けられるとともに、前記首掛けループ部を形成し且つ該首掛けループ部の大きさを調節する移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部と、
以上のごとく構成されてなることを特徴とする携帯品の携帯補助具。
【請求項３】
首に回し掛ける首掛け部位および該首掛け部位から下げられた下げ紐部位とからなる首掛け体と、
前記下げ紐部位に移動自在且つ係留自在に設けられた移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部と、
前記首掛け部位の端方に設けられた着衣に係止するクリップおよび安全ピンあるいはいずれか一方からなる係止手段と、
以上のごとく構成されてなることを特徴とする携帯品の携帯補助具。
【請求項４】
移動係留体から該移動係留体の下方に出された前記下げ紐部位の端部位を該移動係留体と略同じ高さ位置に固定等して調節ループ部を形成してなることを特徴とする請求項１、２、３いずれか記載の携携帯品の携帯補助具。
【請求項５】
調節ループ部を形成する紐部材を移動自在に全部通した摘み環部材を設けてなることを特徴とする請求項１〜４いずれか記載の携携帯品の携帯補助具。
【請求項６】
携帯電話等の携帯品を取付け取外し自在とする面ファスナーや磁石やケースなどの着脱保持手段を有する携帯品着脱保持部を移動係留体に設けてなることを特徴とする請求項１〜５いずれか記載の携携帯品の携帯補助具。
【請求項７】
移動係留体、携帯品着脱保持部、調節ループ、移動係留体の上方に出た下げ紐部位のいずれかに携帯品を繋ぐ紐部材からなる携帯品繋ぎ手段を設けてなることを特徴とする請求項６記載の携携帯品の携帯補助具。
【請求項８】
繋ぎ紐本体の一方の側を携帯品に取付けることができ、且つ、他方の側に調節ループ部を形成する紐部材を移動自在に全部通すことができる繋ぎ環部材を設けてなる紐部材からなる携帯品繋ぎ手段を設けてなることを特徴とする請求項６記載の携携帯品の携帯補助具。
【請求項９】
繋ぎ環部材が調節ループ部を通し入れ且つ通し外し可能とする開閉部を備えた形態であることを特徴とする請求項８記載の携帯品の携帯補助具。
【請求項１０】
移動係留体が、外駒と、この外駒にあけられた対向する対の孔からなる外駒紐通し孔部と、前記外駒に移動可能に差し込まれた前記外駒紐通し孔部に重なる対向する対の孔からなる可動駒紐通し孔部を設けてなる可動駒と、この可動駒を常に付勢力により外側に押し出すようにしている圧縮コイルバネなどの押し出し付勢手段とからなり、前記可動駒を押込んだ状態で前記外駒紐通し孔部と前記可動駒紐通し孔部は重なり状態となって、前記外駒紐通し孔部と前記可動駒紐通し孔部に通された前記下げ紐部位上を前記移動係留体は移動自在となり、前記可動駒から指を離すと前記押し出し付勢手段の付勢力により該可動駒は押し出し移動されて外駒紐通し孔部と可動駒紐通し孔部が前記下げ紐部位を挟持して動かないようにして該下げ紐部位上に移動係留体を係留するようにしてなる構成であることを特徴とする請求項１〜９いずれか記載の携帯品の携帯補助具。
【請求項１１】
保持体本体と、この保持体本体に設けられた面ファスナの一方の側と、前記保持体本体に設けられた安全ピンおよびクリップあるいはいずれか一方からなる着衣係止手段とからなる携帯品振れ止め保持体を設け、前記着衣係止手段で前記携帯品振れ止め保持体を着衣に係止し、前記面ファスナAに係着する面ファスナーBを設けた携帯品や移動係留体などを前記携帯品振れ止め保持体に着脱自在に係止するようにしたことを特徴とする請求項１〜１０いずれか記載の携帯品の携帯補助具。
【発明の詳細な説明】
【技術分野】
【０００１】
本発明は、携帯電話、携帯音楽プレイヤー、IDカードなどの携帯品を首から下げ携帯するための携帯品の携帯補助具に関する。
【背景技術】
【０００２】
非特許文献１には図３１に示すような、首に掛け下げる吊紐１と、この吊紐１に移動係留自在に取付けられた且つ首に掛ける吊紐１によるループ２を形成する移動係留体３（アジャスター）と、この移動係留体３から下げられた首部４と、この首部４（携帯品着脱保持部）に取付けられ移動係留体３と一体となって移動し好みの位置に止められ携帯できる（係留）ようにしてなる主に音楽プレイヤーを収納する透明なケース５と、最下方に位置する吊紐１の両端部を合わせ止めているエンドストッパー６とからなり、移動係留体３は横長筒状の外駒７、この外駒７にあけられた二通りの紐通し孔８，８、外駒７に移動可能に差し込まれた紐通し孔８、８に重なる紐通し孔９，９を設けてなる可動駒１０、この可動駒１０を常に付勢力により外側に押し出すようにしている圧縮コイルバネなどの押し出し付勢手段１１とからなり、可動駒１０を指で押込んだ状態で紐通し孔８、８と紐通し孔９，９は重なり状態となって、紐通し孔８、８と紐通し孔９，９に通された吊紐１上を移動係留体３は移動自在となり、可動駒１０から指を離すと押し出し付勢手段１１の付勢力により可動駒１０は押し出し移動されて紐通し孔８、８と紐通し孔９，９が吊紐１を挟持して動かないようにしてしましい吊紐１上に移動係留体３およびケース５を係留するようにしてなる携帯品の携帯補助具１２（株式会社エレコム製  2005年10月発売）が販売されている。
このような形態の携帯品の携帯補助具として本願出願人の出願である特許文献１が開示されている。そのうち図３２は吊紐の下端にフック１５４ａ、１５４ｂを設け、フック１５４ａ、１５４ｂを移動係留体５の上部に出た下げ紐部位に掛けて、吊紐の垂れ長さを短くする技術が開示され、図３３には吊紐の下端に磁石１５７ａ、１５７ｂを設け、磁石１５７ａ、１５７ｂを移動係留体５の裏側に磁着係止して、吊紐の垂れ長さを短くする技術が開示されている。
【特許文献１】特開２００６−５５６２７号公報（図３２、図３３）
【非特許文献１】http://www2.elecom.co.jp/avd/strap/avd-strpc03/index.asp（製品名：ＡＶＤ−ＳＴＲＰＣ０３シリーズ）
【発明の開示】
【発明が解決しようとする課題】
【０００３】
（１）  前述した従来技術の携帯品の携帯補助具１２は、吊紐１（首掛け体）の下方（エンドストッパー６）を垂れ下げた状態のままであるため、ケース５の振れを小さくするために上方に係留した場合においても、エンドストッパー６を設けた吊紐１が下方に常に長く垂れ下がり振れてわずらわしく邪魔になるという欠点を有するものであった。特に、洗面で手を洗う、トイレの使用時、荷物などを持つなどの前屈み姿勢で前に振れ大変邪魔になるものである。
具体的にはＡＶＤ−ＳＴＲＰＣ０３シリーズの吊り紐１の全長は約９０ｃｍであり、身長１７０ｃｍの男性が襟付きワイシャツを着用して該ワイシャツの襟外にループを掛けた場合において、エンドストッパー６に位置は首の付け根から約２８ｃｍ（みぞおちから約７ｃｍほど下方）である。
また、折畳式携帯電話をケース５に収納して携行した場合においては、折畳式携帯電話をケース５から取り出し開いて着信ボタンを押しての操作となり、何ら携帯補助具１２側に繋がれていない折畳式携帯電話を、地面に落下させてしまうという欠点を有するものであった。
また、吊紐１の垂れ長さを極力短くする場合は、最大ループ形成時において人の頭を抜く大きさに最低限しなければならず、その長さは襟外から首に掛けた状態で最終端であるエンドストパー６と首根っ子の距離は２５ｃｍ程度である。この場合のエンドストッパー６の位置は身長１７０ｃｍの男性でみぞおち辺りに位置する。
この長さは操作の余り必要の無い音楽プレイヤーではさほど不便を感じることはないものと考えられるが、定期携帯電話、お財布携帯電話、ＩＤ携帯電話、カメラ携帯電話など腕を延ばしかざす操作を頻繁に行う携帯電話やＩＤカードにとっては大変使用し難い欠点を有するものである。この２５ｃｍの状態で携帯品を持った場合、腕は略直角に曲がったままでの操作となり、大きく踏み込むかなり前屈みになるなど身体を対象物に近づけなければならない、窮屈で煩わしい使用し難いという欠点を有するものであった。
この欠点を解消するためには、首に掛けた状態で最終端であるエンドストパー６と首根っ子の距離は４５ｃｍ程度以上（吊り紐の全長は約１２０ｃｍ）としなければならず、この場合のエンドストッパー６の位置は身長１７０ｃｍの男性で臍下あたりに位置する。この長さでは、吊り紐は前屈みになるときなど大きく振れ、歩くたびにも大きく振れ、周囲の物に引掛ける危険も大変大きいものである。
（２）  特許文献１の図３２のものは、携帯電話を上下移動操作するときにはフック１５４ａ、１５４ｂを外し垂らして行い、操作が終了したらフック１５４ａ、１５４ｂを吊紐にいちいち掛けなければならない、通話をするたびに外れて垂れ下がってしまうことが多発してしまうなど操作性が大変悪い、知らないうち外れに垂れ下がって洗面使用時の動作などの邪魔になる、周囲のものに引っ掛かる危険が生じるという欠点を有するものである。
（３）  特許文献１の図３３のものは、携帯電話を上下移動操作するときには磁石１５７ａ、１５７ｂを外し垂らして行い、操作が終了したら磁石１５７ａ、１５７ｂを移動係留体の裏側に磁着係止しなければならないなど操作性が大変悪い、移動係留体の裏側に磁石１５７ａ、１５７ｂを係止するためにそれが突起物となって、身体に押し当って強い異物感、強い違和感を感させてしまう、知らないうち外れに垂れ下がって洗面使用時の動作などの邪魔になる、周囲のものに引っ掛かる危険が生じるという欠点を有するものである。
【０００４】
本発明は以上のような従来技術の欠点に鑑み、主に携帯電話、デジタルカメラ、音楽プレイヤー、IDカードなどの携帯品を首から下げ且つ上下移動自在且つ好みの位置に係留することができる携帯品の携帯補助具において、移動係留体の下方に位置する下げ紐部位が該移動係留体を上方に係留した状態では下方に垂れ下がる長さが短くされた短縮長さとなり、且つ、該移動係留体を下方に移動した場合には該短縮長さが解除された延び長さとなる携帯品の携帯補助具を提供することにある。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００６】
上記目的を達成するために、本発明は次のような構成となっている。
＜請求項１記載の発明＞
首に回し掛ける首掛け部位および該首掛け部位から下げられた下げ紐部位とからなる首掛け体と、
前記下げ紐部位に移動自在且つ係留自在に設けられた移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部とで携帯品の携帯補助具を構成している。
「下げ紐部位」は、金属製鎖紐、樹脂製鎖紐、平紐、ゴム紐、革紐、スプリング紐など多様なものを技術的範疇としている。
「下げ紐部位の端部位を該移動係留体側に外れないように固定等した」の「端部位」とは、下げ紐止め部に抜けないように止められている部位を指している。
「首掛け部位」と「下げ紐部位」は同一部材により形成されているもの、他部材より形成されているものいずれも技術的範疇に含む。
＜請求項２記載の発明＞
首に掛ける首掛けループ部および該首掛けループ部から下げられた一対の吊り部材からなる下げ紐部位とからなる首掛け体と、
前記下げ紐部位に移動自在且つ係留自在に設けられるとともに、前記首掛けループ部を形成し且つ該首掛けループ部の大きさを調節する移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部とで携帯品の携帯補助具を構成している。
「下げ紐部位の端部位を該移動係留体側に外れないように固定等した」の「端部位」とは、下げ紐止め部に抜けないように止められている部位を指している。
「首掛けループ部」と「下げ紐部位」は同一部材により形成されているもの、他部材より形成されているものいずれも技術的範疇に含む。
＜請求項３記載の発明＞
首に回し掛ける首掛け部位および該首掛け部位から下げられた下げ紐部位とからなる首掛け体と、
前記下げ紐部位に移動自在且つ係留自在に設けられた移動係留体と、
この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部と、
前記首掛け部位の端方に設けられた着衣に係止するクリップおよび安全ピンあるいはいずれか一方からなる着衣係止手段とで携帯品の携帯補助具を構成している。
「下げ紐部位の端部位を該移動係留体側に外れないように固定等した」の「端部位」とは、下げ紐止め部に抜けないように止められている部位を指している。
「首掛け部位」と「下げ紐部位」は同一部材により形成されているもの、他部材より形成されているものいずれも技術的範疇に含む。
＜請求項４記載の発明＞
請求項１、２、３いずれか記載の発明の構成において、移動係留体から該移動係留体の下方に出された前記下げ紐部位の端部位を該移動係留体と略同じ高さ位置に固定等して調節ループ部を形成してなる携携帯品の携帯補助具を構成している。
＜請求項５記載の発明＞
請求項１〜４いずれか記載の発明の構成において、調節ループ部を形成する紐部材を移動自在に全部通した摘み環部材を設けてなる携携帯品の携帯補助具を構成している。
＜請求項６記載の発明＞
請求項１〜５いずれか記載の発明の構成において、携帯電話等の携帯品を取付け取外し自在とする面ファスナーや磁石やケースなどの着脱保持手段を有する携帯品着脱保持部を移動係留体に設けてなる携携帯品の携帯補助具を構成している。
＜請求項７記載の発明＞
請求項６記載の発明の構成において、移動係留体、携帯品着脱保持部、調節ループ、移動係留体の上方に出た下げ紐部位のいずれかに携帯品を繋ぐ紐部材からなる携帯品繋ぎ手段を設けてなる携携帯品の携帯補助具を構成している。
＜請求項８記載の発明＞
請求項６記載の発明の構成において、繋ぎ紐本体の一方の側を携帯品に取付けることができ、且つ、他方の側に調節ループ部を形成する紐部材を移動自在に全部通すことができる繋ぎ環部材を設けてなる紐部材からなる携帯品繋ぎ手段を設けてなる携携帯品の携帯補助具を構成している。
＜請求項９記載の発明＞
請求項８記載の発明の構成において、繋ぎ環部材が調節ループ部を通し入れ且つ通し外し可能とする開閉部を備えた形態である携帯品の携帯補助具を構成している。
＜請求項１０記載の発明＞
請求項１〜９いずれか記載の発明の構成において、移動係留体が、外駒と、この外駒にあけられた対向する対の孔からなる外駒紐通し孔部と、前記外駒に移動可能に差し込まれた前記外駒紐通し孔部に重なる対向する対の孔からなる可動駒紐通し孔部を設けてなる可動駒と、この可動駒を常に付勢力により外側に押し出すようにしている圧縮コイルバネなどの押し出し付勢手段とからなり、前記可動駒を押込んだ状態で前記外駒紐通し孔部と前記可動駒紐通し孔部は重なり状態となって、前記外駒紐通し孔部と前記可動駒紐通し孔部に通された前記下げ紐部位上を前記移動係留体は移動自在となり、前記可動駒から指を離すと前記押し出し付勢手段の付勢力により該可動駒は押し出し移動されて外駒紐通し孔部と可動駒紐通し孔部が前記下げ紐部位を挟持して動かないようにして該下げ紐部位上に移動係留体を係留するようにしてなる構成である携帯品の携帯補助具を構成している。
＜請求項１１記載の発明＞
請求項１〜１０いずれか記載の発明の構成において、保持体本体と、この保持体本体に設けられた面ファスナの一方の側と、前記保持体本体に設けられた安全ピンおよびクリップあるいはいずれか一方からなる着衣係止手段とからなる携帯品振れ止め保持体を設け、前記着衣係止手段で前記携帯品振れ止め保持体を着衣に係止し、前記面ファスナAに係着する面ファスナーBを設けた携帯品や移動係留体などを前記携帯品振れ止め保持体に着脱自在に係止するようにした携帯品の携帯補助具を構成している。
【発明の効果】
【０００７】
以上の説明から明らかなように、本発明にあっては次に列挙する効果が得られる。
＜請求項１記載の発明の効果＞
首に回し掛ける首掛け部位および該首掛け部位から下げられた下げ紐部位とからなる首掛け体と、前記下げ紐部位に移動自在且つ係留自在に設けられた移動係留体と、この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部とで携帯品の携帯補助具を構成しているので、
移動係留体の上げ操作（昇り移動）では下げ紐止め部も一体となって昇り移動するので、そこに端部位を止められた下げ紐部位は上方に引き上げられながら調節ループ部を長くして（ループを大きくして行く。）、全体としては首掛け体を短くし、移動係留体の下げ操作（下降移動）では下げ紐止め部も一体となって昇り移動するので、下げ紐部位は下方に下げられながら調節ループ部を短くして（ループを小さくして行く。）、全体としては首掛け体を長くする。
すなわち、移動係留体および携帯品を上方に係留した状態においての下げ紐部位の垂れ状態はループを描いた状態となって、ループを描かない端部を垂れ下げた従来技術の状態の略半分程度とでき、殆ど垂れ下がった状態が邪魔にならない長さを実現でき、且つ、移動係留体を最下降させた状態いではループの無くなった（最小となり。）、ループを描かない従来技術と略変わらない首掛け体の長さを得ることができるという効果を奏することができる。
具体的には、首掛け体の全長約１２０ｃｍとし、ワイシャツの襟外に掛けて移動係留体を最下方に下ろした場合の移動係留体の位置が首根っこから略４５ｃｍ（身長１７０ｃｍの男性で臍辺り）であり、移動係留体を首根っこ近くまで上げ係留した状態での下げ紐部位の最下位部位は首根っこから約２３ｃｍである。この約２３ｃｍの垂れ下がりは振れの小さい殆ど気にならないものである。特に張下げ紐部位を張りのある紐部材を使用した場合は調節ループ部が輪となってより良好である。
移動係留体を最下方に下ろして携帯品を握ってのかざし操作等は、首根っこから約４５ｃｍ離しての操作となり、腕の曲げが少ない殆ど身体を屈めることがない、屈めても僅かな屈み動作で済むので使用感のよいものとなっている。首掛け部位を延びの良いソフト平ゴム部材などにすることにより、１０ｃｍ程度の延びで腕を完全に延ばしきっての操作も容易に可能とするものである。
＜請求項２記載の発明の効果＞
首に掛ける首掛けループ部および該首掛けループ部から下げられた一対の吊り部材からなる下げ紐部位とからなる首掛け体と、前記下げ紐部位に移動自在且つ係留自在に設けられるとともに、前記首掛けループ部を形成し且つ該首掛けループ部の大きさを調節する移動係留体と、この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部とで携帯品の携帯補助具を構成しているので、
このような首掛けループ部を形成する形態のものにおいても、請求項１記載の発明の効果と同様な効果を奏することができる。
＜請求項３記載の発明の効果＞
首に回し掛ける首掛け部位および該首掛け部位から下げられた下げ紐部位とからなる首掛け体と、前記下げ紐部位に移動自在且つ係留自在に設けられた移動係留体と、この移動係留体から該移動係留体の下方に出された前記下げ紐部位の端部位を該移動係留体側に外れないように固定等したあるいは該移動係留体に固定されて該移動係留体と一体的に移動される携帯品や携帯品の着脱携帯品着脱保持部などの一体的移動体側に外れないように固定等した下げ紐止め部と、この下げ紐止め部に止めた前記下げ紐部位により形成されたあるいは容易に形成可能とした調節ループ部と、前記首掛け部位の端方に設けられた着衣に係止するクリップおよび安全ピンあるいはいずれか一方からなる着衣係止手段とで携帯品の携帯補助具を構成しているので、
このような着衣係止手段を着衣に係止して首掛け体を首に回し掛けて移動係留体および携帯品を吊り下げる形態のものでも、請求項１記載の発明の効果と同様な効果を奏することができる。
＜請求項４記載の発明の効果＞
請求項１、２、３いずれか記載の発明の構成において、移動係留体から該移動係留体の下方に出された前記下げ紐部位の端部位を該移動係留体と略同じ高さ位置に固定等して調節ループ部を形成してなる携携帯品の携帯補助具を構成しているので、
請求項１、２、３いずれか記載の発明の効果と同様な効果を奏することができるとともに、「下げ紐部位の端部位を移動係留体と略同じ高さ位置に固定等して調節ループ部を形成」するようにしたことで、首掛け体の長さを最も長く且つ最も短くできる形態を実現するという効果を奏することができる。
＜請求項５記載の発明の効果＞
請求項１〜４いずれか記載の発明の構成において、調節ループ部を形成する紐部材を移動自在に全部通した摘み環部材を設けてなる携携帯品の携帯補助具を構成しているので、
請求項１〜４いずれか記載の発明の効果と同様な効果を奏するとともに、特に調節ループ部が２本の下げ紐部位である場合には、下げ紐部位の離れ絡みを防止し且つ移動係留体の操作時には環部材を他方の手で摘んで操作することができる、特に下げ紐部位が一本でも２本でも首掛け体を最大に長くした調節ループ部の殆ど無い状態においては環部材を摘むことにより確実に下げ紐部位の張り操作が行えるものであり、大変に操作性を良くするという効果を奏することができる。
＜請求項６記載の発明の効果＞
請求項１〜５いずれか記載の発明の構成において、携帯電話等の携帯品を取付け取外し自在とする面ファスナーや磁石やケースなどの着脱保持手段を有する携帯品着脱保持部を移動係留体に設けてなる携携帯品の携帯補助具を構成しているので、
請求項１〜５いずれか記載の発明の効果と同様な効果を奏することができるとともに、携帯品を携帯品着脱保持部（移動係留体側）に、簡単自在に取り付けたり取外したりできるという効果を奏することができる。
＜請求項７記載の発明の効果＞
請求項６記載の発明の構成において、移動係留体、携帯品着脱保持部、調節ループ、移動係留体の上方に出た下げ紐部位のいずれかに携帯品を繋ぐ紐部材からなる携帯品繋ぎ手段を設けてなる携携帯品の携帯補助具を構成しているので、
請求項６記載の発明と同様な効果を奏するとともに、携帯品繋ぎ手段により携帯品着脱保持部（移動係留体側）に着脱自在とされた携帯品が誤って外れ落下したり、手に持って操作中に落下させたりしても、首掛け体と携帯品は常に繋がれ状態であるので、地面に落下させることが防止させることができるという効果を奏する。
＜請求項８記載の発明の効果＞
請求項６記載の発明の構成において、繋ぎ紐本体の一方の側を携帯品に取付けることができ、且つ、他方の側に調節ループ部を形成する紐部材を移動自在に全部通すことができる繋ぎ環部材を設けてなる紐部材からなる携帯品繋ぎ手段を設けてなる携携帯品の携帯補助具を構成しているので、
請求項６記載の発明と同様な効果を奏するとともに、携帯品の吊り長さを（首掛けた＋携帯品繋ぎ手段）というより長いものにでき、より腕を延ばして携帯電話等の操作を行いたい場合に役立つとうい効果を奏する。
＜請求項９記載の発明の効果＞
請求項８記載の発明の構成において、繋ぎ環部材が調節ループ部を通し入れ且つ通し外し可能とする開閉部を備えた形態である携帯品の携帯補助具を構成しているので、
請求項８記載の発明の効果と同様な効果を奏するとともに、携帯品の携帯品繋ぎ手段を繋ぐ部位の位置などに応じて、繋ぎ環部材を携帯品の携帯補助具側の最適な部位に取り付け繋ぐことができるとともに、繋ぎ環部材を携帯品の携帯補助具から簡単素早く外すことことにより、携帯品を完全に携帯品の携帯補助具から切り離すことができるという効果を奏する。
＜請求項１０記載の発明の効果＞
請求項１〜９いずれか記載の発明の構成において、移動係留体が、外駒と、この外駒にあけられた対向する対の孔からなる外駒紐通し孔部と、前記外駒に移動可能に差し込まれた前記外駒紐通し孔部に重なる対向する対の孔からなる可動駒紐通し孔部を設けてなる可動駒と、この可動駒を常に付勢力により外側に押し出すようにしている圧縮コイルバネなどの押し出し付勢手段とからなり、前記可動駒を押込んだ状態で前記外駒紐通し孔部と前記可動駒紐通し孔部は重なり状態となって、前記外駒紐通し孔部と前記可動駒紐通し孔部に通された前記下げ紐部位上を前記移動係留体は移動自在となり、前記可動駒から指を離すと前記押し出し付勢手段の付勢力により該可動駒は押し出し移動されて外駒紐通し孔部と可動駒紐通し孔部が前記下げ紐部位を挟持して動かないようにして該下げ紐部位上に移動係留体を係留するようにしてなる構成である携帯品の携帯補助具を構成しているので、
請求項１〜９いずれか記載の発明の効果と同様な効果を奏するとともに、可動駒を押し込んでの移動係留体の移動操作が摩擦抵抗の少ないスムーズで軽快な移動操作にできるという効果を奏する。
＜請求項１１記載の発明の効果＞
請求項１〜１０いずれか記載の発明の構成において、保持体本体と、この保持体本体に設けられた面ファスナの一方の側と、前記保持体本体に設けられた安全ピンおよびクリップあるいはいずれか一方からなる着衣係止手段とからなる携帯品振れ止め保持体を設け、前記着衣係止手段で前記携帯品振れ止め保持体を着衣に係止し、前記面ファスナAに係着する面ファスナーBを設けた携帯品や移動係留体などを前記携帯品振れ止め保持体に着脱自在に係止するようにした携帯品の携帯補助具を構成しているので、
請求項１〜１０いずれか記載の発明の効果と同様な効果を奏するとともに、着衣に係止した携帯品振れ止め保持体に面ファスナーを介して携帯品を係着することができるので、身体動作が有っても着衣に保持された携帯品が振れない状態とできる振れない携帯を実現する、また、携帯品の荷重を着衣に受けさせて首掛け体は携帯品が倒れないように規制支持する規制支持張り状態とすることにより、肩に殆ど荷重の掛らない携帯を実現するという効果を奏する。
【発明を実施するための最良の形態】
【０００８】
以下、図面に示す発明を実施するための最良の形態により、本発明を詳細に説明する。但し、それは単なる本発明の１実施形態の説明でありそれらのみに本発明を限定する趣旨のものではない。
【０００９】
＜第１の実施の形態＞
図１〜図３に示す本発明を実施するための最良の第１の実施の形態において２０は携帯品の携帯補助具であって、この携帯品の携帯補助具２０は、
首に掛けるソフト平ゴム紐からなる首掛けループ部２１、この首掛けループ部２１の両端から下げられた一対の下げ紐部位２２、２２とからなる首掛け体１６と、
下げ紐部位２２，２２に移動自在且つ係留自在に設けられた移動係留体２３と、
この移動係留体２３と一体的に移動係留するように設けられた携帯電話や携帯音楽プレイヤーやデジタルカメラなどの携帯品Ｋを保持するための面ファスナＡからなる着脱保持手段２４を貼り付けたり一体成型により設けてなる携帯品着脱保持部２５と、
移動係留体２３の下方に位置する下げ紐部位２２、２２の下方部位に移動自在に設けられた開閉機構を有するナス環や丸環からなる繋ぎ環部材２６と、
この繋ぎ環部材２６を一方に設けてなる他方に携帯品Ｋを繋ぐための張りのある細紐部材（松葉）からなる携帯品繋ぎ手段２７と、
下げ紐部位２２，２２の下端部に設けられた該下端部をまとめ且つ繋ぎ環部材２６の抜け止めとなる開閉機構を有するナス環や丸環からなる止め環２８とからなっている。
首掛けループ部２１の端部には雄安全パーツ２９，２９が設けられ、下げ紐部位２２、２２の上端部には雌安全パーツ３０，３０が設けられ、雄安全パーツ２９，２９と雌安全パーツ３０，３０は嵌合して連結され、略２ｋｇ程度の引っ張り荷重により外れるようになっている。
首掛け体は全てを一本の紐部材（平紐、丸紐、各紐、鎖紐など多様な形態がある。）で形成してなるものもよい。
【００１０】
携帯品着脱保持部２５は、プレート形態の携帯品着脱保持部本体３１と、携帯品着脱保持部本体３１にあけられた下げ紐部位２２，２２を携帯品着脱保持部２５および携帯品Ｋの背部側に通すための移動係留体２３の近接した真下に形成された下げ紐裏回し孔３３と、保持体部本体３１に設けられた孔からなる下げ紐止め部３２ａ、３２ｂ、３２ｃ、３２ｄとからなっている。
携帯品着脱保持部２５は移動係留体２３に接着されて取付けられたり、移動係留体の外駒あるいは可動駒と一体成型により設けられている。
外駒あるいは可動駒と携帯品着脱保持部２５および面ファスナＡからなる着脱保持手段２４は一体成型により形成するのが、安価にできるのでよい。
繋ぎ環部材２６、止め環２８は開閉部を備えた形態のナス環や丸環からなり、開口して下げ紐部位を出し入れするための閉じ付勢された指で操作する開平片が設けられた構造となっている。
【００１１】
移動係留体２３は、上部開口の円容器形態の外駒３５と、この外駒３５内に可動可能に設けられた押込みヘッド３６、該３６から立ち下げられた内側に付勢手段入り部３７を有する支柱３８、該３８の下部に円盤形態で設けられた通された下げ紐部位２２、２２を挟持するための挟持板３９とからなる可動駒４０と、この可動駒４０を常に付勢状態とする圧縮コイルバネなどの押し出し付勢手段４１と、外駒３５を貫抜くように側壁に形成された下げ紐部位２２、２２を通すための外駒紐通し孔部４２、４２と、外駒紐通し孔部４２、４２の間に形成された分離部４３、４３とからなり、外駒紐通し孔部４２、４２に通された下げ紐部位２２、２２が、可動駒４０がフリーの状態では可動駒４０が押し出し付勢手段４１により押されて下げ紐部位２２、２２を外駒３５の外駒紐通し孔部４２、４２と可動駒１１の挟持板３９とで挟持ロックして係留状態とし、可動駒４０を指で押し込むと挟持ロック状態が解除されて、移動係留体２３および吊り下た携帯品Ｋを自在に移動させたり好みの位置に係留させることができる。
太さ２ｍｍ〜３ｍｍｍ程度の下げ紐部位２２、２２を使用しているが、ロック解除状態で外駒紐通し孔部４２、４２を抵抗無く通される太さであればよい。また、太さ４ｍｍ程度の下げ紐部位２２、２２として弱い摩擦滑りであるものもよい。
【００１２】
各図について説明する。人は省略してあるが、首掛けループ部２１は人の首に掛っている状態としている。
[図１の（ａ）]
下げ紐部位２２，２２が下方に延び切り携帯品Ｋも着脱保持手段２４から外れている。
この状態では吊状態はもっとも長く、携帯品繋ぎ手段２７＋下げ紐部位２２、２２の長さとなって、略腕を延ばしきった状態で携帯電話などの操作が行える。足りない場合は、ソフト平ゴム部材である首掛けループ部２１を延ばして翳し操作などが軽快に行える。
また、この状態では携帯品Ｋの重量により下げ紐部位２２、２２が張り状態となるので、そのままの状態で移動係留体２３を片手のみで自在に軽快に移動させることができる。これにより、片手のみでの両手で行える全ての操作を軽快に行うことができる。
[図１の（ｂ）]
着脱保持手段２４に携帯品Ｋを保持した状態である。この状態では、携帯品Ｋを上に移動させるにしたがって、止め環２８に掛った繋ぎ環部材２６および携帯品繋ぎ手段２７によって止め環２８は一緒に引き上げられて、下方に垂れ下がる長さが短くされる。
[図２の（ｃ）]
移動係留体２３の下部に近接した部位に形成された下げ紐止め部３２ｂにナス環からなる止め環２８を付け止めて、調節ループ部１７を形成している。
このような形態とすることにより、下げ紐部位２２、２２の移動係留体２３下方への垂れ下がりは、従来技術形態の略半分程度となり、携帯電話を保持した状態で携帯電話の下方に略８ｃｍ程度（身長１．７ｍの男性でみぞおちあたり。）の垂れ下がり従来の３０センチ臍当たりから比べて、大変短い垂れ下がりとなり、前屈みの姿勢をとっても振れが小さく且つ上方に位置するので殆ど邪魔にならない状態を形成することができる。
一方の手で繋ぎ環部材２６を摘み下方に軽く引いて調節ループ部１７を張り状態にしながら、他方の手で移動係留体２３の可動駒４０を押し込んだまま上下移動操作を行う。
[図２の（ｄ）]
繋ぎ環部材２６を移動係留体２３の上方位置の下げ紐部位２２に掛け止めて、調節ループ部１７を形成している。
[図２の（ｅ）]
止め環２８に繋ぎ環部材２６を掛けとめている。このような状態とすることにより、携帯品Ｋを携帯品着脱保持部２５から外し持った状態でそのまま、最大の長さとなり、手の長い人でも腕を延ばし切っての操作をおこなうことができる。
【００１３】
（発明を実施するための異なる形態）
次に、本発明を実施するための異なる形態について説明する。なお、これら本発明を実施するための異なる形態の説明に当たって、本発明を実施するための前述した実施の形態と同一構成部分には同一符号を付して重複する説明を省略する。
【００１４】
＜第２の実施の形態＞
図４に示す本発明を実施するための最良の第２の実施の形態において前記第１の実施の形態と主に異なる点は、止め環２８と繋ぎ環部材２６の間を移動係留自在の環部材掛り体４６を下げ紐部位２２、２２に設け、引き上げらる繋ぎ環部材２６が止め環２８に掛る前に環部材掛り体４６に掛って下げ紐部位２２、２２を引き上げることができるようにした点にある。
【００１５】
＜第３の実施の形態＞
図５〜図８に示す本発明を実施するための最良の第３の実施の形態において前記第１の実施の形態と主に異なる点は、止め環２８を設けず下げ紐部位２２，２２の両端を下げ紐止め部３２ｂに通し、その先端を結び止めて止め結び４８を形成して、下げ紐止め部３２ｂから抜けないようにして調節ループ部１７を形成し、調節ループ部１７に摘み環部材１８を下げ紐部位２２，２２を通し設けた点にある。
止め結びに変えてエンドストッパー部材も使用したりなど多様な抜け止め形態がある。
[図５の（ａ）]
携帯品Ｋを携帯品着脱保持部２５から外し吊り下げた状態。
[図５の（ｂ）]
携帯品Ｋを携帯品着脱保持部２５に係着保持した状態。
[図６の（ｃ）]
携帯品Ｋを携帯品着脱保持部２５に係着保持したまま最下まで下げた状態。
[図６の（ｄ）]
携帯品Ｋを携帯品着脱保持部２５に係着保持したまま最下まで下げ且つ携帯品Ｋを携帯品着脱保持部２５から外し下げた状態。
[図７の（ａ）]
繋ぎ環部材２６を左手で摘み抑えて、右手で可動駒１０を押込んだまま移動係留体２３および携帯品Ｋを上下移動している状態。
[図７の（ｂ）]
携帯品Ｋを首に最も近い最上部に係留した状態。
[図７の（ｃ）]
携帯品Ｋを首に最も近い最上部に係留した状態から、携帯品Ｋを携帯品着脱保持部２５から外し着信通話をしている状態。
[図７の（ｄ）]
携帯品Ｋを携帯品着脱保持部２５に係着保持したまま胸ポケットにいれ、携帯品Ｋをポケットの底からわずかに浮かせて携行している状態。
[図７の（ｅ）]
携帯品Ｋを携帯品着脱保持部２５に係着保持したまま最下方に下ろし携帯品Ｋの操作をしている状態。
[図７の（ｆ）]
携帯品Ｋを首に最も近い最上部に係留した状態で、携帯品Ｋを携帯品着脱保持部２５から外して携帯品Ｋを操作している状態。（図では携帯品着脱保持部２５を少しさげている。）
[図８の（ａ）]
下げ紐止め部３２ｂに腕を延ばしきっても余る長さの下げ紐部位２２，２２が通されている。
[図８の（ｂ）（ｃ）]
腕を延ばしきって余る部分を切り離して、あるいは好みの吊り下げ長さを得られる部位で止め結び４８を形成する。
[図８の（ｄ）]
開閉自在のカードリングからなる摘み環部材５０を下げ紐部位２２，２２に掛けて、携帯品Ｋの上下移動操作の最に一方の指を入れて操作することにより、操作が大変行いやすくできる。
【００１６】
＜第４の実施の形態＞
図９、図１０に示す本発明を実施するための最良の第４の実施の形態において前記第１の実施の形態と主に異なる点は、Ｅ次形プレート形態の保持体本体５３と、この保持体本体５３に設けられた面ファスナA５４と、保持体本体５３の上方に設けられた安全ピン６０と、保持体本体５３の中央に設けられたクリップ５５とからなり、安全ピン６０あるいはクリップ５５で保持体本体５３を着衣に係止し、面ファスナA５４に係着する面ファスナーB１９を設けた携帯品Ｋや移動係留体２３などを保持体本体５３に保持する携帯品振れ止め保持体５６を、携帯品の携帯補助具２０に組にし設けたものである。
結果着衣に保持さされた状態にあり且つ吊状態ないし頭が振れいない状態に下げ紐部位２２で支持されている携帯品Ｋは、軽いジョキング程度では振れない落ちない状態に保持される。
これにより、振れない肩や首に荷重の掛らない凝らない携帯を実現する。
５７ａ、５７ｂはワイシャツの前立てを避け入れる前立て避け部であり、前立て避け部５７ａ、５７ｂの外側は前立ての内側に入る前立て内入り部５８ａ、５８ｂが形成され、その中央の前立ての表に来る面ファスナA５４を設けてなる携帯品着脱保持部５９が形成されている。クリップ５５は着衣の前立てを挟持する。
【００１７】
＜第５の実施の形態＞
図１１に示す本発明を実施するための最良の第５の実施の形態において前記第１の実施の形態と主に異なる点は、着脱保持手段２４に透明ケース６２を取付け、あるいは着脱保持手段２４に変えて透明ケース６２を設けてなる携帯品の携帯補助具６３を形成した点にある。
【００１８】
＜第６の実施の形態＞
図１２に示す本発明を実施するための最良の第６の実施の形態において前記第５の実施の形態と主に異なる点は、移動係留体を移動係留体３に変えてなる携帯品の携帯補助具６５を形成した点にある。
【００１９】
＜第７の実施の形態＞
図１３に示す本発明を実施するための最良の第７の実施実施の形態において前記第１の実施の形態と主に異なる点は、移動係留体２３の外駒３５の側部には下げ紐部位２２、２２の端部位を挟持固定するヒンジで連結された一対の挟持板からなる下げ紐止め部６８が該３５と一体成形により形成され、さらに外駒３５の背部には掛け部形態（フック形態）の携帯品着脱保持部６９が該３５と一体成形により形成されてなる携帯品の携帯補助具７２を形成した点にある。
携帯品Kの裏側には携帯品着脱保持部６９に入れ掛ける針金状部材や硬質樹脂部材などからなる逆U字形の吊り掛け部材７０が、吊り掛け部材支持部７１に上下にスライド可能に且つ抜けないように取り付けられている。
吊り掛け部材７０の下両端は吊り掛け部材支持部７１に掛る顎部位７３、７３となっている。
吊り掛け部材支持部７１は上部が全開口形態とされ、下部は吊り掛け部材７０の左右棒部位が通した孔が形成されていて、吊り掛け部材７０が上下にある程度スライドさせられるが抜けない構造となっている。
吊り部材支持部７１は携帯品Kの電池カバーに一体的成形により設けるのもよい。また吊り部材７０を備えた状態で携帯品の裏側に粘着剤により接着する形態もよい。
携帯品着脱保持部６９への吊り掛け部材７０の掛け入れと掛け外しは吊り掛け部材７０を下げ上げするだけの簡単操作で行え、この操作で携帯品Kを完全に分離することができる。
【００２０】
＜第８の実施の形態＞
図１４、図１５、図１６に示す本発明を実施するための最良の第８の実施実施の形態において前記第１の実施の形態と主に異なる点は、移動係留体２３の外駒３５に針金部材や一体成形により左右に立ち下がり部７５ａ、７５ｂを有し且つ該立下り部７５ａ、７５ｂの先端に外側に折り上げ形態に形成された抜け防止掛け部７６ａ、７６ｂを設けてなる携帯品着脱保持部７７を備えた携帯品の携帯補助具７８を形成した点にある。
携帯品Kの裏側には内溝７９を有する携帯品着脱保持部７７に掛る掛り部８０ａ、８０ｂが左右に間隔を開けて設けられている。
掛り部８０ａ、８０ｂの下方から携帯品着脱保持部７７の立ち下がり部７５ａ、７５ｂを内溝７９に挿入し押し上げて携帯品着脱保持部７７を掛り部８０ａ、８０ｂに取り付ける。
掛り部８０ａ、８０ｂの外側には凹みが形成され、抜け防止掛け部７６ａ、７６ｂの内向き凸部が嵌るようになっている。
図１６において、携帯品Ｋの背部にループ側面ファスナー８１が貼り付けてある。
【００２１】
＜第９の実施の形態＞
図１７に示す本発明を実施するための最良の第９の実施の形態において前記第１の実施の形態と主に異なる点は、携帯品着脱保持部を長物のプレートからなる携帯品着脱保持部８４とし、この携帯品着脱保持部８４の下方裏面にループ側面ファスナー８５を設け、下げ紐裏回し孔３３とループ側面ファスナー８５の間に裏側に突出した可動顎片８６を設けてなる携帯品の携帯補助具８８を形成した点にある。
携帯品Ｋの裏面上方には携帯品着脱保持部８４を差し込んで支持する上方支持部８９が下方には下方支持部９０が設けられ、上方支持部８９には可動顎片８８が掛る顎片掛り部９１と、掛った顎片８８を押し込む押し込み片９２が設けられている。
押し込み片９２を指で押し込むと可動顎片８８は押し込まれて奥に可動して顎掛り状態が解除され、携帯品着脱保持部８４を抜き外すことができる。
携帯品Ｋに面ファスナーを貼り付けない形態を実現している。
【００２２】
＜第１０の実施の形態＞
図１８に示す本発明を実施するための最良の第１０の実施の形態において前記第１の実施の形態と主に異なる点は、携帯品着脱保持部を長物のプレートからなる携帯品着脱保持部９４とし、携帯品着脱保持部９４の裏面下方にループ側面ファスナー８５を設け、下げ紐裏回し孔３３とループ側面ファスナー８５の間の携帯品着脱保持部９４の左右側部に掛り顎部９５、９５を設け、携帯品着脱保持部９４の最下部の左右側部に横に突出形成された嵌り支持片部９６、９６を設けてなる携帯品の携帯補助具９７を形成した点にある。
携帯品Ｋの裏面上方には掛り顎部９５、９５が嵌り掛る顎嵌り掛り部９８、９８が設けられ、携帯品Ｋの裏面下方には嵌り支持片部９６、９６が嵌る支持片嵌り部９９、９９が形成されている。
嵌り支持片部９６、９６は掛り顎部９５、９５より外側に形成されている。
顎嵌り掛り部９８、９８の上部は閉じ形態となっていて、下方から嵌った掛り顎部９５、９５は上方で掛り止められて抜けないようになっている。
【００２３】
＜第１１の実施の形態＞
図１９に示す本発明を実施するための最良の第１１の実施の形態において前記第１の実施の形態と主に異なる点は、移動係留体２３の可動駒４０にカードケースからなる着脱保持手段１０１を接着するなどして固定し、外駒３５の横に下げ紐止め部３２ｂを有するプレート１０２を突出させ設けてなる携帯品の携帯補助具１０３を形成した点にある。
本実施の形態では着脱保持手段１０１は携帯品着脱保持部１０４でもある。
【００２４】
＜第１２の実施の形態＞
図２０に示す本発明を実施するための最良の第１２の実施の形態において前記第１の実施の形態と主に異なる点は、移動係留体２３の可動駒４０に糸巻き手段１０５を固定し、糸巻き手段１０５の糸１０８にカードケースからなる着脱保持手段１０１を取り付け、糸巻き手段１０５の表面に透明な振れ止め板１０６を設け、外駒３５の横に下げ紐止め部３２ｂを有するプレート１０２を突出させ設けてなる携帯品の携帯補助具１０７を形成した点にある。
糸巻き手段１０５は中の発条により糸を常に巻き込み付勢状態としている。
振れ止め板１０６によりその内側に位置した着脱保持手段１０１は振れ止め板１０６に当たって振れないように支持される。
本実施の形態では着脱保持手段１０１と糸巻き手段１０５で携帯品着脱保持部１１０を形成している。
【００２５】
＜第１３の実施の形態＞
図２１に示す本発明を実施するための最良の第１３の実施の形態において前記第１の実施の形態と主に異なる点は、着脱保持手段１０１を一体的に形成設けてなる携帯品の携帯補助具１１３を形成した点にある。
【００２６】
＜第１４の実施の形態＞
図２２に示す本発明を実施するための最良の第１４の実施の形態において前記第１１の実施の形態と主に異なる点は、着脱保持手段１０１を外駒３５側に設け、着脱保持手段１０１の上下に下げ紐止め部１１５a、１１５ｂを設けてなる携帯品の携帯補助具１１６を形成した点にある。
【００２７】
＜第１５の実施の形態＞
図２３、図２４、図２５に示す本発明を実施するための最良の第１５の実施の形態において１１９は携帯品の携帯補助具であって、この携帯品の携帯補助具１１９は一本のい紐部材からなり首掛け部位１２０および下紐部位１２１を形成してなる首掛け体１２２と、この首掛け体１２２を一方の紐通し孔に通して該１２２上を移動自在且つ係留自在に取り付けてなる移動係留体２３と、この移動係留体２３に接着や一体成形などにより設けてなる携帯品着脱保持部１０４を兼ねるカードケースからなる着脱保持手段１０１と、首掛け部位１２０の端方に設けられたクリップ１２３と安全ピン１２４とからなる着衣に係止する係止手段１２５と、移動係留体２３のもう一方の紐通し孔に下紐部位１２１の端方を通して止め玉１２６で抜けないようにして下紐部位１２１により形成した調節ループ部１２７と、この調節ループ部１２７に移動自在に取り付けられた摘み環部材１８と、着脱保持手段１０１の裏側に該１０１の下方に一部が突き出すように設けられた胸ポケットに差し込むポケット差し込み片１２８とから構成されている。
移動係留体２３のもう一方の紐通し孔（外駒紐通し孔部４２のもう一方）は下げ紐止め部１２９となっている。
【００２８】
＜第１６の実施の形態＞
図２６、図２７に示す本発明を実施するための最良の第１６の実施の形態において前記第１５の実施の形態と主に異なる点は、移動係留体２３の背部側に薄い鉄板１３１を貼り付け、安全ピン１２４と磁石板１３２からなる振れ止め具１３３を設けてなる携帯品の携帯補助具１３４を形成した点にある。
振れ止め具１３３を着衣の好みの部位に係止させ、磁石板１３２に鉄板１３１を磁着させて振れないように係着する。
【００２９】
＜第１７の実施の形態＞
図２８、図２９に示す本発明を実施するための最良の第１７の実施の形態において前記第１の実施の形態と主に異なる点は、平ソフトゴム紐からなる首掛け部位１３７と紐部材からなる下げ紐部位１３８を繋いで一本の紐体からなる首掛け体１３９を形成し、首掛け部位１３７の端方には係止手段１２５が設けられ、移動係留体２３の一方の紐通し孔に下げ紐部位１３８を通し、下げ紐部位１３８の端方を下方から移動係留体２３のもう一方の紐通し孔に通して止め玉１２６を付けて抜けないようにして、調節ループ部１２７を形成してなる携帯品の携帯補助具１４０を形成した点にある。
移動係留体２３のもう一方の紐通し孔（外駒紐通し孔部４２のもう一方）は下げ紐止め部１２９となっている。
また、安全ピン１４４を設けたプレート本体１４１にフック側面ファスナー１４２を組物として設けてなる振れ止め具１４３を設けている。
図２９の上方図において、クリップ１２３でワイシャツの前立てを挟持して首掛け部位１３７を首の後ろに回して首に掛け、高さを調節して胸ポケットに携帯品Kを入れている（左図）。携帯品Kを胸ポケットから出して、移動係留体２３の可動駒を押し込んで前方（下方）に移動させて首掛け体１３９を延ばして、腕を延ばした余裕のある体勢で携帯品の操作を行っている（右図）。
図２９の下方図において、振れ止め具１４３を着衣に係止し、その反対側の適宜な部位に安全ピン１２４を係止し、首掛け部位１３７を首の後ろに回して首に掛け、高さを調節して振れ止め具１４３に携帯品Kを係着する（左図）。携帯品Kを振れ止め具１４３から外して、首掛け部位１３７を首から回し外して、腕の延ばした余裕のある体勢で携帯品の操作を行っている（左図）。そのまま、首に回し掛けて振れ止め具１４３に携帯品Kを係着する。携帯品Kを係着したまま微妙な高さ調節を行う。
【００３０】
＜第１８の実施の形態＞
図３０に示す本発明を実施するための最良の第１８の実施の形態において前記第１７の実施の形態と主に異なる点は、首掛け体１４６を首掛け部位１４７、下紐部位１４８を一本の平紐部材により形成してなる携帯品の携帯補助具１５０を形成した点にある。
【産業上の利用可能性】
【００３１】
本発明はストラップを製造する産業で利用される。
【図面の簡単な説明】
【００３２】
【図１】本発明の第１の実施の形態を示す携帯品を下げ紐部位に下げた状態例の正面図および携帯品を携帯品着脱保持部に保持した状態例の正面図。
【図２】本発明の第１の実施の形態の複数の使用形態の正面図。
【図３】本発明の第１の実施の形態の移動係留体の正面図、底面図、正面図中央横断面図および正面図中央縦断面図。
【図４】本発明の第２の実施の形態の使用状態例の正面図。
【図５】本発明の第３の実施の形態の使用状態例の正面図。
【図６】本発明の第３の実施の形態の使用状態例の正面図。
【図７】本発明の第３の実施の形態の使用状態例図。
【図８】本発明の第３の実施の形態の下げ紐部位の処理を示す側面図。
【図９】本発明の第４の実施の形態の使用状態例の正面図。
【図１０】本発明の第４の実施の形態の携帯品振れ止め保持体の正面図および背面図。
【図１１】本発明の第５の実施の形態の正面図。
【図１２】本発明の第６の実施の形態の正面図。
【図１３】本発明の第７の実施の形態の携帯品を掛け保持した状態の背面図、部分側面図、携帯品の背面図。
【図１４】本発明の第８の実施の形態の正面図および部分拡大側面図。
【図１５】本発明の第８の実施の形態の携帯品を保持した状態の背面図および正面図。
【図１６】本発明の第８の実施の形態の携帯品の裏側に面ファスナーを貼り付けた状態を示す背面図。
【図１７】本発明の第９の実施の形態の首掛け体を省略した背面図、首掛け体を省略した正面図および携帯品を取り付けた状態の背面図。
【図１８】本発明の第１０の実施の形態の携帯品の背面図、背面図および携帯品を取り付けた状態の背面図。
【図１９】本発明の第１１の実施の形態の正面図および側面図。
【図２０】本発明の第１２の実施の形態の正面図および携帯品着脱保持部を引き下げた状態の側面図。
【図２１】本発明の第１３の実施の形態の正面図および側面図。
【図２２】本発明の第１４の実施の形態の正面図および側面図。
【図２３】本発明の第１５の実施の形態の正面図、側面図および部分拡大背面図。
【図２４】本発明の第１５の実施の形態の胸ポケットに係止した使用状態図および垂れ下げた使用状態図。
【図２５】本発明の第１５の実施の形態の首から回し外して腕を延ばしカードをかざしている状態図。
【図２６】本発明の第１６の実施の形態の正面図、背面図および振れ止め具の正面図。
【図２７】本発明の第１６の実施の形態の使用状態例図。
【図２８】本発明の第１７の実施の形態の正面図および振れ止め具の正面図。
【図２９】本発明の第１７の実施の形態の使用状態例図。
【図３０】本発明の第１８の実施の形態の正面図。
【図３１】従来技術を示す正面図および吊紐をケースの後ろに回した正面図。
【符号の説明】
【００３３】
１：吊紐、
２：ループ、
３：移動係留体、
４：首部、
５：透明なケース、
６：エンドストッパー、
７：外駒、
８、８：紐通し孔、
９、９：紐通し孔、
１０：可動駒、
１１：押し出し付勢手段、
１６：首掛け体、
１７：調節ループ部、
１８：摘み環部材、
１９：面ファスナＢ、
２０：携帯品の携帯補助具、
２１：首掛けループ部、
２２、２２：下げ紐部位、
２３：移動係留体、
２４：着脱保持手段、
２５：携帯品着脱保持部、
２６：繋ぎ環部材、
２７：携帯品繋ぎ手段、
２８：止め環、
２９、２９：雄安全パーツ、
３０、３０：雌安全パーツ、
３１：携帯品着脱保持部本体、
３２ａ、３２ｂ、３２ｃ、３２ｄ：下げ紐止め部、
３３：下げ紐裏回し孔、
３５：外駒、
３６：押込みヘッド、
３７：付勢手段入り部、
３８：支柱、
３９：挟持板、
４０：可動駒、
４１：押し出し付勢手段、
４２、４２：、外駒紐通し孔部
４３、４３：分離部、
４６：環部材掛り体、
４８：止め結び、
５０：摘み環部材、
５３：保持体本体、
５４：面ファスナA、
５５：クリップ、
５６：携帯品振れ止め保持体、
５７ａ、５７ｂ：前立て避け部、
５８ａ、５８ｂ：前立て内入り部、
５９：携帯品着脱保持部、
６０：安全ピン、
６２：透明ケース、
６３：携帯品の携帯補助具、
６５：携帯品の携帯補助具、
６８：下げ紐止め部、
６９：携帯品着脱保持部、
７０：吊り掛け部材、
７１：吊り掛け部材支持部、
７２：携帯品の携帯補助具、
７３：顎部位、
７５ａ、７５ｂ：立ち下がり部、
７６ａ、７６ｂ：抜け防止掛け部、
７７：携帯品着脱保持部、
７８：携帯品の携帯補助具、
７９：内溝、
８０ａ、８０ｂ：掛り部、
８１：ループ側面ファスナー、
８４：携帯品着脱保持部、
８５：ループ側面ファスナー、
８６：可動顎片、
８８：携帯品の携帯補助具、
８９：上方支持部、
９０：下方支持部、
９１：顎片掛り部、
９２：押し込み片、
９４：携帯品着脱保持部、
９５：掛り顎部、
９６：嵌り支持片部、
９７：携帯品の携帯補助具、
９８：顎嵌り掛り部、
９９：支持片嵌り部、
１０１：着脱保持手段、
１０２：プレート、
１０３：携帯品の携帯補助具、
１０４：携帯品着脱保持部、
１０５：糸巻き手段、
１０６：振れ止め板、
１０７：携帯品の携帯補助具、
１０８：糸、
１０９：クリップ、
１１０：携帯品着脱保持部、
１１３：携帯品の携帯補助具、
１１５a、１１５ｂ：下げ紐止め部、
１１６：携帯品の携帯補助具、
１１９：携帯品の携帯補助具、
１２０：首掛け部位、
１２１：下紐部位、
１２２：首掛け体、
１２３：クリップ、
１２４：安全ピン、
１２５：係止手段、
１２６：止め玉、
１２７：調節ループ部、
１２８：ポケット差し込み片、
１２９：下げ紐止め部、
１３１：鉄板、
１３２：磁石板、
１３３：振れ止め具、
１３４：携帯品の携帯補助具、
１３７：首掛け部位、
１３８：下げ紐部位、
１３９：首掛け体、
１４０：携帯品の携帯補助具、
１４１：プレート本体、
１４２：フック側面ファスナー、
１４３：振れ止め具、
１４４：安全ピン、
１４６：首掛け体、
１４７：首掛け部位、
１４８：下紐部位、
１５０：携帯品の携帯補助具。
【図１】
2007244839.tif 000003
【図２】
2007244839.tif 000004
【図３】
2007244839.tif 000005
【図４】
2007244839.tif 000006
【図５】
2007244839.tif 000007
【図６】
2007244839.tif 000008
【図７】
2007244839.tif 000009
【図８】
2007244839.tif 000010
【図９】
2007244839.tif 000011
【図１０】
2007244839.tif 000012
【図１１】
2007244839.tif 000013
【図１２】
2007244839.tif 000014
【図１３】
2007244839.tif 000015
【図１４】
2007244839.tif 000016
【図１５】
2007244839.tif 000017
【図１６】
2007244839.tif 000018
【図１７】
2007244839.tif 000019
【図１８】
2007244839.tif 000020
【図１９】
2007244839.tif 000021
【図２０】
2007244839.tif 000022
【図２１】
2007244839.tif 000023
【図２２】
2007244839.tif 000024
【図２３】
2007244839.tif 000025
【図２４】
2007244839.tif 000026
【図２５】
2007244839.tif 000027
【図２６】
2007244839.tif 000028
【図２７】
2007244839.tif 000029
【図２８】
2007244839.tif 000030
【図２９】
2007244839.tif 000031
【図３０】
2007244839.tif 000032
【図３１】
2007244839.tif 000033